(57)【要約】【課題】地震による横揺れによって建物のコンクリート基礎と地盤の間に滑りを生じて建物が免震されるようになされた基礎下免震構造において、地震の横揺れによる、滑りによる摩擦熱が発生した場合でも、免震性能を発揮することができる基礎下免震構造を提供する。【解決手段】建物のコンクリート基礎１が２層の発泡樹脂板４を介して地盤２上に支承されると共に、２層の発泡樹脂板４の間であって、２層の発泡樹脂板４のいずれか一方又は双方に、滑り板５が発泡樹脂板４と一体化して設けられ、地震による横揺れによって、発泡樹脂板４と滑り板５間又は滑り板５間に滑りを生じて建物が免震されるようになされており、滑り板５は、免震時の発泡樹脂板４と滑り板５間又は滑り板５間の滑りによって発生する摩擦熱による滑り面の温度上昇を抑制するのに十分な熱容量を有している。【選択図】    図１
2012177270.tif 000002
【特許請求の範囲】
【請求項１】
建物のコンクリート基礎が２層の発泡樹脂板を介して地盤上に支承されると共に、該２層の発泡樹脂板の間であって、２層の発泡樹脂板のいずれか一方又は双方に、滑り板が発泡樹脂板と一体化して設けられ、地震による横揺れによって、発泡樹脂板と滑り板間又は滑り板間に滑りを生じて建物が免震されるようになされていることを特徴とする基礎下免震構造。
【請求項２】
前記滑り板は、免震時の発泡樹脂板と滑り板間又は滑り板間の滑りによって発生する摩擦熱による滑り面の温度上昇を抑制するのに十分な熱容量を有している請求項１に記載の基礎下免震構造。
【請求項３】
前記滑り板の滑り面には、滑りを潤滑にするためのコーティング材が塗布されている請求項１に記載の基礎下免震構造。
【請求項４】
前記発泡樹脂板及び滑り板がピース状のものからなり、隣り合う発泡樹脂板及び滑り板どうしが間隔をあけてコンクリート基礎と地盤間に配置されている請求項１乃至３に記載の基礎下免震構造。
【発明の詳細な説明】
【技術分野】
【０００１】
本発明は、基礎下免震構造に関する。
【背景技術】
【０００２】
地盤にコンクリートやモルタルからなる地盤基礎が形成されると共に、該地盤基礎の上に滑りシートを介してコンクリート基礎が支承され、地震による横揺れによって滑りシートと地盤基礎の間に滑りを生じて建物が免震されるようになされた基礎下免震構造は、従来より提案されている。
【先行技術文献】
【特許文献】
【０００３】
【特許文献１】特開平１１−１４１１８３号公報
【発明の概要】
【発明が解決しようとする課題】
【０００４】
しかしながら、滑りシートでは、シワが発生し、安定的な滑り面を確保できないといった問題があった。また、地震による横揺れに対し、滑りシートに滑りによる摩擦熱が発生し、そのため滑りシートの摩擦係数が変化し、設計どおりの免震性能が発揮できない場合があった。
【０００５】
さらに、建物のコンクリート基礎と地盤との間に、面圧の均一化や縦揺れ振動の抑制などを目的として発泡樹脂板を介設した場合には、滑りシートのすべりによる摩擦熱が、発泡樹脂板の融点に達すると、滑りシートと発泡樹脂板との溶着や発泡樹脂板自身の溶解を引き起こし、免震性能が発揮できないといった問題があった。
【０００６】
本発明は、以上のような問題点に鑑み、地震による横揺れによって建物のコンクリート基礎と地盤の間に滑りを生じて建物が免震されるようになされた基礎下免震構造において、地震の横揺れにより、滑り面に摩擦熱が発生した場合でも、免震性能を発揮することができる基礎下免震構造を提供することを課題とする。
【課題を解決するための手段】
【０００７】
上記の課題は、建物のコンクリート基礎が２層の発泡樹脂板を介して地盤上に支承されると共に、該２層の発泡樹脂板の間であって、２層の発泡樹脂板のいずれか一方又は双方に、滑り板が発泡樹脂板と一体化して設けられ、地震による横揺れによって、発泡樹脂板と滑り板間又は滑り板間に滑りを生じて建物が免震されるようになされていることを特徴とする基礎下免震構造により解決される。
【０００８】
この基礎下免震構造では、滑り板により滑り面を形成しているので、シワができることなく、安定した滑り面を確保することができる。
【０００９】
また、この基礎下免震構造において、前記滑り板は、免震時の発泡樹脂板と滑り板間又は滑り板間の滑りによって発生する摩擦熱による滑り面の温度上昇を抑制するのに十分な熱容量を有しているとよい。
【００１０】
滑り板が、摩擦熱による滑り面の温度上昇を抑制するのに十分な熱容量を有しているので、摩擦熱による滑り面の温度上昇を抑制することができ、温度変化による滑り面の摩擦係数の変化を抑制することができ、設計どおりの免震性能を発揮することができる。
【００１１】
さらに、滑り板が、発泡樹脂板の融点に達することなく、滑り板と発泡樹脂板との溶着や発泡樹脂板自身の溶解を引き起こすことを防止することができ、設計どおりの免震性能を発揮することができる。
【００１２】
また、この基礎下免震構造において、前記滑り板の滑り面には、滑りを潤滑にするためのコーティング材が塗布されているとよい。
【００１３】
滑り板の滑り面に、滑りを潤滑にするためのコーティング材が塗布されているので、地震時にスムーズに滑る滑り面を確保することができる。
【００１４】
さらに、この基礎下免震構造において、前記発泡樹脂板及び滑り板がピース状のものからなり、隣り合う発泡樹脂板及び滑り板どうしが間隔をあけてコンクリート基礎と地盤間に配置されているとよい。
【００１５】
免震時による滑り面に発生する摩擦熱との関係で、滑り面の温度上昇を適切に管理した上で滑り板の厚みを選定し、発泡樹脂板及び滑り板をピース上にすることで、摩擦面の接触面積を適切に管理することができる。
【００１６】
また、この基礎下免震構造では、コンクリート基礎と地盤との間に発泡樹脂板を介した構造としているので、地震による横揺れによって建物の耐力壁が水平力を受けると、力の伝達過程において、２層の発泡樹脂板の鉛直方向におけるバネ作用によって、２層の発泡樹脂板の間の面圧のバラツキが緩和され、滑り面における抵抗力が一定化されて、免震時に建物が回転運動してしまうのを効果的に抑制することができる。
【００１７】
加えて、上記のような発泡樹脂板を採用することにより、該発泡樹脂版の鉛直方向におけるバネ作用によって、地震や日常の環境振動による縦揺れも緩和することができる。
【００１８】
また、建物のコンクリート基礎と地盤との間に発泡樹脂板の間に介設されており、滑り面の平滑性は確保されているので、コンクリート基礎や地盤の表面の不陸を吸収でき、効率的に施工を実施することができる。
【００１９】
また、滑り板が２層の発泡樹脂板の間に介設されているので、滑り板は、外気や床下、地中の温度の影響を受けにくく、よって滑り板自身の温度が変動しにくいため、温度変化による滑り板の摩擦係数の変動の影響を低減することができる。特に滑り板がプラスチック材料系からなる場合には、環境変化による摩擦係数の変動の低減による効果が高い。
【発明の効果】
【００２０】
本発明は以上のとおりであるから、地震による横揺れによって建物のコンクリート基礎と地盤の間に滑りを生じて建物が免震されるようになされた基礎下免震構造において、地震の横揺れによる、滑りによる摩擦熱が発生した場合でも、免震性能を発揮することができる基礎下免震構造を提供することができる。
【図面の簡単な説明】
【００２１】
【図１】実施形態の基礎下免震構造を示すもので、図（イ）は断面側面図、図（ロ）は図（イ）の一部拡大分解側面図である。
【図２】発泡樹脂板及び滑り板の配置状況を示す斜視図である。
【図３】本発明の他の実施形態の基礎下免震構造を示すもので、図（イ）は断面側面図、図（ロ）は図（イ）の一部拡大分解側面図である。
【発明を実施するための形態】
【００２２】
次に、本発明の実施形態を図面に基づいて説明する。
【００２３】
図１に示す実施形態の基礎下免震構造において、１は建物のコンクリート基礎、２は地盤であり、地盤２の上には、地盤基礎３が設けられ、地盤基礎３の上に、発泡ポリプロピレンや発泡ポリスチレンなどからなる２層の発泡樹脂板４，４を介して、コンクリート基礎１が支承されており、２層の発泡樹脂板４，４の間には、一層の滑り板５が下側の発泡樹脂板４と一体化して介設されて、地震による横揺れによって発泡樹脂板４と滑り板５との間に滑りを生じて建物が免震されるようになされている。
【００２４】
図２に示すように、発泡樹脂板４，４、滑り板５の平面形状は、それぞれの幅寸法が建物のコンクリート基礎１及び地盤基礎３の幅寸法と略同じ寸法の正方形をしており、発泡樹脂板４，４と滑り板５がセットになったユニットが免震時の横揺れ寸法を確保したうえで、間隔をあけてコンクリート基礎１下に配置されている。
【００２５】
発泡樹脂板４の厚さ寸法は、例えば２０ｍｍであり、滑り板の厚さ寸法は、例えば、１．６ｍｍであり、発泡樹脂板４，４と滑り板５の合計厚さ寸法は、例えば４１．６ｍｍ程度であり、コンクリート基礎１のフーチング部の厚さ寸法は、例えば１５５ｍｍであり、地盤基礎の厚さ寸法は、例えば４００ｍｍである。
【００２６】
発泡樹脂板４，４は、発泡成型された樹脂材からなり、例えば、物理的物性値として、単位体積重量が０．３５±０．０３ｋＮ／ｍ３、圧縮強さが４００ｋＮ／ｍ２以上のポリスチレンフォームなどが用いられ、滑り板５は、例えば、建築構造用溶融亜鉛−アルミニウム−マグネシウム合金めっき鋼板などのめっき鋼板やステンレス鋼板などが用いられる。また、滑り板５は、例えば、変性シリコーンエポキシ系接着剤などの接着剤により下側の発泡樹脂板４に接着され、一体化されている。
【００２７】
また、発泡樹脂板４及び滑り板５の滑り面には、地震時の横揺れを円滑に行うため、例えば、ＰＴＦＥ（ポリテトラフルオロエチレン）コーティングなどのフッ素コーティングがなされている。
【００２８】
上記の基礎下免震構造では、滑り板により滑り面を形成しているので、滑り面にシワができることなく、安定した滑り面を確保することができる。
【００２９】
また、滑り板が、摩擦熱による滑り面の温度上昇を抑制するのに十分な熱容量を有しているので、摩擦熱による滑り面の温度上昇を抑制することができ、温度変化による滑り面の摩擦係数の変化を抑制することができ、設計どおりの免震性能を発揮することができる。さらに、滑り板が、発泡樹脂板の融点に達することがなく、滑り板と発泡樹脂板との溶着や発泡樹脂板自身の溶解を引き起こすことを防止することができ、設計どおりの免震性能を発揮することができる。
【００３０】
ここで、例えば、大地震において、免震により地震の揺れを吸収する場合には、片振幅９５ｍｍで４０回の滑りが発生すると仮定すると、合計で１５．２ｍの滑りによる摩擦熱の発生に対応しうる熱容量が求められる。支承にかかる荷重が６０ｋＮ、滑り支承の摩擦係数が０．１５、滑り板の断面の大きさが７００ｍｍ×７００ｍｍとすると、滑り板の摩擦による発生する熱量は１３７ｋＪとなる。発泡樹脂材の溶融温度、摩擦面の摩擦係数の変化を考慮して、滑り温度上昇を５０℃以下にする場合には、滑り板にめっき鋼板を用いた場合では、１．６ｍｍの板厚が必要となる。
【００３１】
また、滑り板の滑り面に、滑りを潤滑にするためのコーティング材が塗布されているので、地震時にスムーズに滑る滑り面を確保することができる。
【００３２】
また、免震時による滑り面に発生する摩擦熱との関係で、滑り面の温度上昇を適切に管理した上で滑り板の厚みを選定し、発泡樹脂板及び滑り板をピース上にすることで、摩擦面の接触面積を適切に管理することができる。
【００３３】
地震による横揺れによって建物の耐力壁が水平力を受けると、力の伝達過程において、２層の発泡樹脂板４，４の鉛直方向におけるバネ作用によって、２層の発泡樹脂板４，４の間の面圧のバラツキが緩和され、滑り面における抵抗力が一定化されて、免震時に建物が回転運動してしまうのを効果的に抑制することができる。
【００３４】
しかも、２層の発泡樹脂板４，４の間に、下側の発泡樹脂板４と接着一体化された滑り板５が介設され、発泡樹脂板４と滑り板５との間に滑りを生じさせて建物を免震するようになされているので、スムーズな滑りを実現することができて、発泡樹脂板４，４がコンクリート基礎１によって傷付けられてしまうのを防ぐことができる。
【００３５】
加えて、上記のような発泡樹脂板４，４を採用することにより、該発泡樹脂板４，４の鉛直方向におけるバネ作用によって、地震や、交通振動などの環境振動による縦揺れも緩和することができる。
【００３６】
また、上下の滑り板５が２層の発泡樹脂板４，４の間に介設されており、上下の滑り板５の平滑性は確保されているので、地盤３やコンクリート基礎１の表面の不陸を吸収でき、効率的に施工を実施することができる。
【００３７】
また、上下の滑り板５が２層の発泡樹脂板４，４の間に介設されているので、滑り板５は、外気や床下、地中の温度の影響を受けにくく、よって滑り板５自身の温度が変動しにくいため、温度変化による滑り板５の摩擦係数の変動の影響を低減することができる。特に滑り板５がプラスチック材料系からなる場合には、環境変化による摩擦係数の変動の低減による効果が高い。
【００３８】
さらに、本構造では、地盤基礎の上に発泡樹脂板４，４を設け、その上に建物のコンクリート基礎１が設けられているので、建物の荷重により上側の発泡樹脂板４が変形したとしても、発泡樹脂板４の上面部が変形するだけで、滑り面となる発泡樹脂板４の下面部が部分的に変形しないため、免震時に滑り面において影響を与えることがない。  
【００３９】
以上に、本発明の実施形態を示したが、本発明はこれに限られるものではなく、発明思想を逸脱しない範囲で各種の変更が可能である。例えば、本実施形態では、地盤の上に、地盤基礎が設けられ、地盤基礎の上に、２層の発泡樹脂板を介して、コンクリート基礎が支承されており、２層の発泡樹脂板の間には、一層の滑り板が下側の発泡樹脂板と一体化して介設されて、地震による横揺れによって発泡樹脂板と滑り板との間に滑りを生じて建物が免震されるようになされている場合について示したが、一層の滑り板が上側の発泡樹脂板と一体化して介設されて、地震による横揺れによって発泡樹脂板と滑り板との間に滑りを生じて建物が免震されるようになされていてもよく、また、図３に示すように、地盤の上には、地盤基礎が設けられ、地盤基礎の上に、２層の発泡樹脂板を介して、コンクリート基礎が支承されており、２層の発泡樹脂板の間には、重ね合わせ状態にした上下の滑り板がそれぞれ上下の発泡樹脂板と一体化して介設されて、地震による横揺れによって上下の滑り板間に滑りを生じて建物が免震されるようになされていてもよい。
【００４０】
また、上記の実施形態では、地盤の上部に地盤基礎を介して発泡樹脂板を設けた場合について示したが、地盤基礎は必ずしも必要でなく、なくてもよいし、砂利や砕石からなるならし層であってもよい。
【００４１】
また、滑り板の材質にも制限はなく、本実施例のようにめっき鋼板であってもよいし、プラスチック板、コンクリート板など、滑り板にかかる荷重と、摩擦熱による滑り面の温度上昇を抑制するのに十分な熱容量を考慮して任意の材質が選択されればよい。
【００４２】
また、発泡樹脂板、滑り板の形状にも制限はなく、本実施形態のように平面正方形だけでなく、平面長方形であってもよいし、その他の形状であってもよい。さらに、発泡樹脂板、滑り板がセットになったユニットである必要はなく、コンクリート基礎の底面に合わせて一面に延びる形状であってもよい。
【符号の説明】
【００４３】
１・・・コンクリート基礎
２・・・地盤
３・・・地盤基礎
４・・・発泡樹脂板
５・・・滑り板
【図１】
2012177270.tif 000003
【図２】
2012177270.tif 000004
【図３】
2012177270.tif 000005
【手続補正書】
【提出日】平成23年11月30日(2011.11.30)
【手続補正１】
【補正対象書類名】特許請求の範囲
【補正対象項目名】全文
【補正方法】変更
【補正の内容】
【特許請求の範囲】
【請求項１】
建物のコンクリート基礎が２層の発泡樹脂板を介して地盤上に支承されると共に、該２層の発泡樹脂板の間であって、２層の発泡樹脂板のいずれか一方又は双方に、滑り板が発泡樹脂板と一体化して設けられ、
該滑り板は、免震時の発泡樹脂板と滑り板間又は滑り板間の滑りによって発生する摩擦熱による滑り面の温度上昇を抑制するのに十分な熱容量を有しており、
該２層の発泡樹脂板の鉛直方向におけるバネ作用によって、該２層の発泡樹脂板の間の面圧のバラツキが緩和され、
地震による横揺れによって、発泡樹脂板と滑り板間又は滑り板間に建物が回転運動することを抑制しながら滑りを生じて建物が免震されるようになされていることを特徴とする基礎下免震構造。
【請求項２】
前記滑り板の滑り面には、滑りを潤滑にするためのコーティング材が塗布されている請求項１に記載の基礎下免震構造。
【請求項３】
前記発泡樹脂板及び滑り板がピース状のものからなり、隣り合う発泡樹脂板及び滑り板どうしが間隔をあけてコンクリート基礎と地盤間に配置されている請求項１又は２に記載の基礎下免震構造。